(57)【要約】      （修正有）【課題】人に害を及ぼすウィルスや細菌を含んだ飛沫が食事の際に混入してしまうことを防止することのできる飛沫防止壁を備えた弁当容器を提供する。【解決手段】上方に開閉自在な蓋体部１２０を有した弁当容器本体１００と、弁当容器本体内に収納された盛り付けトレー３００と、弁当容器本体と盛り付けトレーとの間に挟持される飛沫防止壁４００と、弁当容器本体の蓋体部に貼着された飛沫防止壁収納ポケット２００と、を備えた。【選択図】図１
0003235620.tif 000002
【実用新案登録請求の範囲】
【請求項１】
周囲からの飛沫の混入を防止する飛沫防止壁を備えた弁当容器であって、
上方に開閉自在な蓋体部を有した弁当容器本体と、
前記弁当容器本体内に収納された盛り付けトレーと、
前記弁当容器本体と前記盛り付けトレーとの間に挟持される飛沫防止壁と、
前記弁当容器本体の蓋体部に貼着された飛沫防止壁収納ポケットと、
を備えたことを特徴とする飛沫防止壁付き弁当容器。
【考案の詳細な説明】
【技術分野】
【０００１】
本考案は、周囲からの飛沫の混入を防止する飛沫防止壁を備えた弁当容器に関する。
【背景技術】
【０００２】
従来、樹脂製のトレーを収納した箱型紙製の弁当容器が広く使用されている。その使用用途としては、会議や法事等での仕出し弁当や駅で販売される所謂駅弁や行楽客を対象とした店頭販売の弁当等様々である。
また、このような弁当が食される所は、人が多く集まる場所であることが多い。
【０００３】
ところで、近年ウィルス性の感染症の流行を受け、様々な感染予防対策が取られるようになってきた。その中でも、会話やくしゃみや咳といった行為に伴う飛沫感染の防止のため飲食店では密を避けるような席並びに変更されたり各テーブルに飛沫防止のつい立が設けられたりしている。
このような感染対策は、人への直接的な飛沫付着の防止と共に、食べ物への飛沫の混入も同時に防ぐことができ、感染予防に確実な効果をもたらすことができる。
【０００４】
また、飲食店の開店時間の短縮要請等の影響により、持ち帰りやデリバリーといった需要も高まり上述したような弁当容器が用いられることも多くなった。
持ち帰りやデリバリー等の場合の多くは、一人又は家族や何人かの友人のみといった限られた小人数で食されることが主であり、人の密を避けることで、感染予防に寄与している。
【考案の概要】
【考案が解決しようとする課題】
【０００５】
しかしながら、持ち帰りやデリバリー等を利用した食事の場は、家の中であったり公園等の野外であったりと様々であるが、その多くが飲食店とは異なりつい立による飛沫防止がなされていない場合が多い。
そのため、少人数であっても食事中の会話等で大気中にばら撒かれる飛沫物は人の体に付着したり呼吸により吸い込まれたりすると同時に食べ物に付着し感染のリスクを高める虞がある。
【０００６】
また、ウィルス性の感染症の感染者数が減っていくと共に、会議や法事等が流行以前のように行われることになるかと思われるが、会場内での集団感染を防止することは必然であり、特に感染のリスクが高まる食事中での感染防止対策はより強固に行うことが必要となる。
【０００７】
本考案は、斯かる事情に鑑みてなされたものであって、上方に開閉自在な蓋体部を有した弁当容器本体と、弁当容器本体内に収納された盛り付けトレーと、弁当容器本体と盛り付けトレーとの間に挟持される飛沫防止壁と、弁当容器本体の蓋体部に貼着された飛沫防止壁収納ポケットと、を備えた飛沫防止壁付き弁当容器を提供せんとする。
【課題を解決するための手段】
【０００８】
本考案にかかる飛沫防止壁付き弁当容器は、上方に開閉自在な蓋体部を有した弁当容器本体と、弁当容器本体内に収納された盛り付けトレーと、弁当容器本体と盛り付けトレーとの間に挟持される飛沫防止壁と、弁当容器本体の蓋体部に貼着された飛沫防止壁収納ポケットと、を備えたことに特徴を有する。
【考案の効果】
【０００９】
本考案よれば、上方に開閉自在な蓋体部を有した弁当容器本体と弁当容器本体内に収納された盛り付けトレーと弁当容器本体と盛り付けトレーとの間に挟持される飛沫防止壁と弁当容器本体の蓋体部に貼着された飛沫防止壁収納ポケットとを備えたことにより、食事の際に弁当容器の両側面とその間に介在する一面に飛沫防止の壁を形成し、弁当箱内部への飛沫の侵入を防ぐことでウィルスや細菌による感染の防止に寄与することができる。
【００１０】
また、飛沫防止壁は盛り付けトレー内部への飛沫の混入のみではなく、例えば野外で食事では風に飛ばされてくる砂やゴミの混入も防ぐことができ、より衛生的に食事が行える効果がある。
【００１１】
また、飛沫防止壁は、飛沫防止壁収納ポケット内に収納される弁当容器と別体としていることで、必要に応じて飛沫防止壁の組み立て方を変化させることで快適に食事を行えるようにできる効果がある。
【００１２】
また、飛沫防止壁を弁当容器の蓋体部に設けた飛沫防止壁収納ポケット内に収納可能としていることで、開封前に飛沫防止壁への食べ物の付着を防ぐことができる。
【図面の簡単な説明】
【００１３】
【図１】本考案の一実施形態に係る飛沫防止壁付き弁当容器の組み立てた状態における斜視図である。
【図２】本考案の一実施形態に係る飛沫防止壁付き弁当容器の構成を示す分解斜視図である。
【図３】本考案の一実施形態に係る飛沫防止壁を収納した状態を示す斜視図である。
【図４】本考案の一実施形態に係る飛沫防止壁を示す斜視図である。
【図５】本考案の一実施形態に係る飛沫防止壁付き弁当容器の組み立てた状態における正面図及び背面図である。
【図６】本考案の一実施形態に係る飛沫防止壁付き弁当容器の組み立てた状態における平面図及び底面図である。
【図７】本考案の一実施形態に係る飛沫防止壁付き弁当容器の組み立てた状態における右側面図である。
【図８】本考案の一実施形態に係る飛沫防止壁付き弁当容器の組み立て前の状態を示す正面図及び背面図である。
【図９】本考案の一実施形態に係る飛沫防止壁付き弁当容器の組み立て前の状態を示す平面図及び底面図である。
【図１０】本考案の一実施形態に係る飛沫防止壁付き弁当容器の組み立て前の状態を示す右側面図及びＡ−Ａ断面図である。
【図１１】本考案の一実施形態に係る飛沫防止壁付き弁当容器の透明部分を示す説明図である。
【考案を実施するための形態】
【００１４】
この考案の要旨は、上方に開閉自在な蓋体部を有した弁当容器本体と、弁当容器本体内に収納された盛り付けトレーと、弁当容器本体と盛り付けトレーとの間に挟持される飛沫防止壁と、弁当容器本体の蓋体部に貼着された飛沫防止壁収納ポケットと、を備えたことにある。
【００１５】
［１.飛沫防止壁付き弁当容器の概略的構成について］
以下、本考案の一実施形態に係る収納袋体の概略構成について、図面に基づき詳説する。図１は飛沫防止壁付き弁当容器Ｍの斜視図、図２は飛沫防止壁付き弁当容器の構成を説明する分解図、図３は飛沫防止壁４００を収納した状態を示す斜視図、図４は飛沫防止壁４００を示す斜視図、図５は飛沫防止壁付き弁当容器Ｍの組立状態における平面図及び背面図、図６は飛沫防止壁付き弁当容器Ｍの組立状態における平面図及び底面図、図７は飛沫防止壁付き弁当容器Ｍの組立状態における右側面図、図８は蓋体部１２０を閉塞した状態の飛沫防止壁付き弁当容器Ｍを示す正面図及び背面図、図９は蓋体部１２０を閉塞した状態の飛沫防止壁付き弁当容器Ｍを示す平面図及び底面図、図１０は蓋体部１２０を閉塞した状態の飛沫防止壁付き弁当容器Ｍを示す右側面図及び断面図、図１１は透明である飛沫防止壁収納ポケット２００を示す説明図である。
【００１６】
本考案の一実施形態に係る飛沫防止壁付き弁当容器Ｍは、図１〜図１０に示すように、上方に開閉自在な蓋体部１２０を有した弁当容器本体１００と、弁当容器本体１００内に収納された盛り付けトレー３００と、弁当容器本体１００と盛り付けトレー３００との間に挟持される飛沫防止壁４００と、弁当容器本体１００の蓋体部１２０に貼着された飛沫防止壁収納ポケット２００と、から構成されている。
【００１７】
弁当容器本体１００は、図１〜図１０に示すように、方形板状の底部１１１と、底部１１１の一辺と同じ幅員で垂直に立設された長方形状の正面壁部１１２と、正面壁部１１２と対向する位置に同一形状で立設された背面壁部１１３と、正面壁部１１２の右側縁部１１２ａと背面壁部１１３の左側縁部１１３ｂに介在するように立設された長方形状の右側壁部１１４と、右側壁部１１４と対向する位置、すなわち正面壁部１１２の左側縁部１１２ｂと背面壁部１１３の右側縁部１１３ａに介在し且つ右側壁部１１４と同一形状で立設された左側壁部１１５と、背面壁部１１３の上縁部１１３ｃより延出して形成される底部１１１と同一形状の蓋体部１２０と、蓋体部１２０より更に延出して形成された差込部１３０と、より形成される。
【００１８】
この弁当容器本体１００は、主に紙や樹脂シートから形成されており、蓋体部１２０から延出して形成された差込部１３０を正面壁部１１２の内側、すなわち底部１１１と正面壁部１１２と背面壁部１１３と右側壁部１１４と左側壁部１１５とにより形成された上部開口の箱体１１０の内側に差し込むことで箱体１１０の上部開口を閉塞する蓋体部１２０を閉めた状態とすることができる（図１０（ｂ）参照）。また、差込部１３０は説明した正面壁部１１２の内側への差し込みを行いやすくするために、図６（ａ）に示すように、角部１３１を丸く形成している。ただし、この角部１３１は本実施形態では丸く形成しているが、差し込みが行いやすい形状であればよく、例えば単に斜めに角部１３１を切り落とした形状としてもよい。
【００１９】
また、蓋体部１２０の内側面、すなわち箱体１１０の上部開口を閉塞する面には、図１、図２、図３及び図５（ａ）に示すように、飛沫防止壁収納ポケット２００を設けている。
飛沫防止壁収納ポケット２００は、方形状の樹脂製フィルムの四方縁部のうちニ方又は三方を蓋体部１２０の内側に貼着させることで形成され、貼着されていない箇所を出入口２１０として、内部に後述する飛沫防止壁４００や割り箸やおしぼり等を収納することができる。
さらには、樹脂製フィルムから形成されることにより、弁当容器本体１００を紙製としたときに、図１０（ｂ）に示すように、蓋体部１２０の内側に収納された食材が付着することを防止し、弁当容器本体１００の劣化や弁当容器本体１００の表面に生じる油染み等を防ぎ審美性が低下する虞を無くすことができる。
また、飛沫防止壁収納ポケット２００は、図１１の薄墨箇所に示すように、透明とすることが考えられる。透明な樹脂フィルムから形成することで、弁当容器本体１００を開封した際に使用者は飛沫防止壁４００の存在を視認することで存在を認識し、例えば弁当容器本体１００に後述する組み立て方法への誘導を行うことができる。
【００２０】
盛り付けトレー３００は、実際に食材が盛り付けられる器であって、図１、図２、図３、図６（ａ）及び図１０（ｂ）に示すように、略方形状の盛り付け底部３１０と、盛り付け底部３１０の四方縁部に立設し高さを弁当容器本体１００の高さよりもやや低く形成した盛り付け壁部３２０と、からなる。すなわち、盛り付け底部３１０と盛り付け壁部３２０とからなる上方開口の器形状内部を盛り付け空間３３３として、米飯や惣菜等の食材を収納することができる。
また、食材からの水分により変形や劣化が起きないように、主に樹脂シートから形成され、弁当容器本体１００の中に収納される。
本考案の一実施形態を説明する図では、盛り付けトレー３００を単に弁当容器本体１００に収まる大きさの平面視長方形の器状としているが、盛り付け壁部３２０で囲まれた食材収納部分に盛り付け底部３１０を上方に盛り上げて形成された仕切りを設けたものとしてもよい。また、弁当容器本体１００の中に収納される盛り付けトレー３００は一つに限定されず、二つ以上の盛り付けトレー３００が弁当容器本体１００内部に収まるように設けられてもよい。
ただし、後述する飛沫防止壁４００の固定に際して、弁当容器本体１００の右側壁部１１４及び左側壁部１１５と盛り付けトレー３００との間に差し込み挟持させることで行うため、盛り付けトレー３００は弁当容器本体１００の内部に隙間を最小限にして収納されることが好ましい。
【００２１】
飛沫防止壁４００は、図１、図２、図５（ａ）、図６（ａ）及び図７に示すように、弁当容器本体１００の右側壁部１１４と盛り付けトレー３００との間に差し込まれる右飛沫防止壁４００ａと、弁当容器本体１００の左側壁部１１５と盛り付けトレー３００との間に差し込まれる左飛沫防止壁４００ｂと、からなる。また、飛沫防止壁４００は、紙や樹脂製シートから形成される。
右飛沫防止壁４００ａは、図４に示すように、弁当容器本体１００の正面壁部１１２方向へ弧を描き側面視略４分の１円弧状の壁本体部４１０と、弁当容器本体１００の背面壁部１１３側に一部折り返してなる自立補助部４２０と、から形成される。
左飛沫防止壁４００ｂは、図４に示すように、右飛沫防止壁４００ａと同様に、弁当容器本体１００の正面壁部１１２方向へ弧を描き側面視略４分の１円弧状の壁本体部４１０と、弁当容器本体１００を背面壁部１１３側に一部折り返してなる自立補助部４２０と、から形成される。
【００２２】
右飛沫防止壁４００ａ及び左飛沫防止壁４００ｂを形成する壁本体部４１０は、弁当容器本体１００と盛り付けトレー３００との間に差し込み挟持された状態としたときに左右から弁当容器本体１００内部への飛沫物の混入を防ぐと共に、側面視略４分の１円弧状としていることにより盛り付けトレー３００内部に盛り付けられた食材を箸でつかむ際に邪魔になりにくい効果がある。
ただし、本考案の一実施の形態として、一番好ましい形状である側面視略４分の１円弧状としているが、側面視略三角形状や略四角形状等、形状は特に限定されるものではない。
【００２３】
右飛沫防止壁４００ａ及び左飛沫防止壁４００ｂを形成する自立補助部４２０は、弁当容器本体１００を背面壁部１１３側に一部折り返して形成される。すなわち、右飛沫防止壁４００ａ及び左飛沫防止壁４００ｂは、横断面視略Ｌ字状に形成されている。
自立補助部４２０は、折返し右飛沫防止壁４００ａ及び左飛沫防止壁４００ｂを横断面視略Ｌ字状としていることで、弁当容器本体１００と盛り付けトレー３００との間に差し込まれた際に横に倒れることなく自立させることができる。
また、自立補助部４２０は、図１、図５及び図７に示すように、弁当容器本体１００の蓋体部１２０に延出して形成された差込部１３０を折り曲げることで引っかけて自立させることができる。そうすることで、弁当容器本体１００の背面側にも背面飛沫防止壁４００ｃとして、弁当容器本体１００内に飛沫が混入することを防ぐことができる。
【００２４】
［２.組み立て方法について］
次に本考実施形態に係る飛沫防止壁付き弁当容器Ｍの組み立て方法について図面に基づいて説明する。
【００２５】
飛沫防止壁付き弁当容器Ｍの組み立て前の状態は、図８〜図１０に示すように、弁当容器本体１００の蓋体部１２０を閉塞した状態としている。また、飛沫防止壁４００は、図３及び図１０（ｂ）に示すように、蓋体部１２０に設けた飛沫防止壁収納ポケット２００の内部に収納された状態としている。
この閉塞した状態では、盛り付け空間３３３の上方に飛沫防止壁収納ポケット２００が位置しており、盛り付けトレー３００に盛り付けられた食材は、弁当容器本体１００の蓋体部１２０に直接触れることがなく、弁当容器本体１００の劣化や油染みの発生を防止することができる。
また、飛沫防止壁収納ポケット２００は、樹脂製フィルムであればどのようなものであればよいが、抗菌フィルム等を用いることで菌の発生を防ぐことも考えられる。
【００２６】
弁当容器本体１００を開放状態とする際には、図１０（ｂ）に示すように、弁当容器本体１００の正面壁部１１２の内側に差し込まれた差込部１３０を上方へ引き抜くことにより行う。
弁当容器本体１００を開放状態としたのちに、図２及び図３に示すように、蓋体部１２０に設けた飛沫防止壁収納ポケット２００の内部に収納された二枚の飛沫防止壁４００を取り出す。
飛沫防止壁４００は、飛沫防止壁収納ポケット２００の内部に収納可能であればよく、例えば二つ折りや三つ折りの状態で収納されている。
【００２７】
取り出された二枚の飛沫防止壁４００をそれぞれ、図１、図５（ａ）及び図６（ａ）に示すように、右飛沫防止壁４００ａを弁当容器本体１００の右側壁部１１４と盛り付けトレー３００との間に上方より差し込み、左飛沫防止壁４００ｂを弁当容器本体１００の左側壁部１１５と盛り付けトレー３００との間に上方より差し込む。
それぞれの飛沫防止壁４００は、弁当容器本体１００と盛り付けトレー３００との間に差し込むことにより、弁当容器本体１００と盛り付けトレー３００とに挟持されると共に、横断面視略Ｌ字状としていることにより、確実に盛り付けトレー３００の左右側面に壁として立設させることができる。
【００２８】
弁当容器本体１００の蓋体部１２０は、弁当容器本体の背面側に立てることで飛沫混入を防止する壁とすることができる。具体的には、蓋体部１２０に延出して設けた差込部１３０を折り曲げ、飛沫防止壁４００（４００ａ、４００ｂ）を形成する左右の自立補助部４２０の上縁部に引っ掛けることで、蓋体部１２０を直立状態に維持することで飛沫の混入を防止する背面飛沫防止壁４００ｃとなる。すなわち、左右の飛沫防止壁４００ａ、４００ｂと、蓋体部１２０を直立させることで出来る背面飛沫防止壁４００ｃと、で三方向からの飛沫物の混入を防止することができる。
以上の手順により、飛沫防止壁付き弁当容器Ｍの組み立てが完了する。
この組み立て方法は、例えば弁当容器本体１００の表面や飛沫防止壁収納ポケット２００や飛沫防止壁４００等に印刷されることが好ましい。
【００２９】
本実施形態に係る飛沫防止壁付き弁当容器Ｍは、上述してきたように食材を盛り付けた盛り付けトレー３００の周縁部のうち三方に壁を立設させることで周囲から侵入せんとする飛沫の混入を防ぐことを可能としているが、三方ともの壁を必ず立設しないといけないわけではなくその状況に合わせて組み立てを行うことが望ましい。
例えば、左右のどちらかに壁がある場所で食事を行う場合には、壁の無い方向からの飛沫を防ぐのみで要場合もあり、その際は壁が無い側の飛沫防止壁４００のみを組み立てるとよい。その際、飛沫防止壁４００は、組み立て前の状態では弁当容器本体１００や盛り付けトレー３００と別体としており、飛沫防止壁収納ポケット２００内部に収められるため組み立てない場合に余った飛沫防止壁４００が食事の際に邪魔となる虞が無い。
【００３０】
また、本実施形態に係る飛沫防止壁付き弁当容器Ｍは、会話や咳やくしゃみ等により生じる飛沫の混入を防止するための飛沫防止壁４００を備えた弁当容器であり、近年流行しているウィルス性感染症の感染防止を行う効果があるが、混入を防止する対象は必ずしも飛沫だけには限定されない。
例えば、行楽に伴う野外での食事の際には風により飛ばされてくる砂や土その他ゴミ等の混入を防ぐことも可能であり、より快適で衛生的な食事を楽しむことができる。
【００３１】
上述した実施形態の説明は本考案の一例であり、本考案に係る飛沫防止壁付き弁当容器Ｍは上述の実施形態に限定されることはない。このため、上述した実施形態以外であっても、本考案に係る技術的思想を逸脱しない範囲であれば、設計等に応じて種々の変更が可能であることは勿論である。また、上述した各種効果は、あくまで例示に過ぎず、本考案による効果は、本実施例に記載されたものに限定されるものではない。
【符号の説明】
【００３２】
Ｍ          飛沫防止壁付き弁当容器
１００      弁当容器本体
１１０      箱体
１１１      底部
１１２      正面壁部
１１２ａ    右側縁部
１１２ｂ    左側縁部
１１３      背面壁部
１１３ａ    右側縁部
１１３ｂ    左側縁部
１１３ｃ    上縁部
１１４      右側壁部
１１５      左側壁部
１２０      蓋体部
１３０      差込部
１３１      角部
２００      飛沫防止壁収納ポケット
２１０      出入口
３００      盛り付けトレー
３１０      盛り付け底部
３２０      盛り付け壁部
３３０      盛り付け空間
４００      飛沫防止壁
４００ａ    右飛沫防止壁
４００ｂ    左飛沫防止壁
４００ｃ    背面飛沫防止壁
４１０      壁部本体
４２０      自立補助部
【図１】
0003235620.tif 000003
【図２】
0003235620.tif 000004
【図３】
0003235620.tif 000005
【図４】
0003235620.tif 000006
【図５】
0003235620.tif 000007
【図６】
0003235620.tif 000008
【図７】
0003235620.tif 000009
【図８】
0003235620.tif 000010
【図９】
0003235620.tif 000011
【図１０】
0003235620.tif 000012
【図１１】
0003235620.tif 000013